(57)【要約】【課題】拘束部材を錠前によらずに不正に拘束位置から解放位置に移動することを防止するための不正防止構造が簡単になる。【解決手段】開かれた前枠３が人為的にヒンジ４を回転中心として外枠２の側に閉じられるのに伴い、拘束機構７；８と被拘束部材１０；１１とが互いに嵌合して前枠３を外枠２に開閉不能に拘束し、この状態において、鍵が人為的に前方から錠前機構９におけるシリンダー錠１６の鍵孔１７に挿入され、その挿入された状態から鍵が人為的に例えば右方向に９０度回転操作されるのに伴い、シリンダー錠１６が錠前機構９におけるスライド部材１８；１９を上下方向に作動し、スライド部材１８；１９が上記拘束機構７；８と被拘束部材１０；１１との嵌合を解除するように拘束機構７；８を作動して前枠３を外枠２に開閉可能に解放する。このように解放された前枠３が人為操作によりヒンジ４を回転中心として外枠２から離れる側に開かれる。【選択図】図１
2013188471.tif 000002
【特許請求の範囲】
【請求項１】
遊技機用容器に開閉体を開閉不能に拘束したり開閉可能に解放したりするように、遊技機用容器及び開閉体の一方に設けられた拘束機構と、遊技機用容器及び開閉体の他方に設けられた被拘束部材と、遊技機用容器及び開閉体の一方又は他方のどちらかに設けられた錠前機構とを備えた遊技機の施錠装置であって、拘束機構が開閉体を開閉不能に拘束する拘束位置と開閉体を開閉可能に解放する解放位置との間を回転する拘束部材と拘束部材を解放位置から拘束位置の側に向けて回転するように弾力を与える弾性部材と弾性部材の弾力に抗して拘束部材を拘束位置に停止するように拘束部材に設けられた規制部と拘束部材に設けられた嵌合部とを備え、被拘束部材が開閉体の閉じられる動作で弾力に抗して拘束部材を拘束位置から解放位置の側に回転させると共に嵌合部と出合うことにより拘束部材の弾力による拘束位置の側への回転を許容して嵌合部と嵌合して遊技機用容器に開閉体を開閉不能に拘束する被嵌合部を備え、施錠装置が鍵による操作で回転するシリンダー錠とシリンダー錠の回転により上記遊技機用容器に開閉体を開閉不能に拘束する嵌合部と被嵌合部との嵌合を解除するように作動するスライド部材とを備え、上記嵌合部と被嵌合部との嵌合により拘束部材と被拘束部材とが互いに重なり合うことを特徴とする遊技機の施錠装置。
【請求項２】
遊技機用容器に開閉体を開閉不能に拘束したり開閉可能に解放したりするように、錠前機構と拘束機構と被拘束部材とを備えた遊技機の施錠装置であって、錠前機構が遊技機用容器及び開閉体の一方に設けられ、被拘束部材が遊技機用容器及び開閉体の他方に設けられ、拘束機構が錠前機構の機構基盤に設けられ、拘束機構が開閉体を開閉不能に拘束する拘束位置と開閉体を開閉可能に解放する解放位置との間を回転する拘束部材と拘束部材を解放位置から拘束位置の側に向けて回転するように弾力を与える弾性部材と弾性部材の弾力に抗して拘束部材を拘束位置に停止するように拘束部材に設けられた規制部と拘束部材に設けられた嵌合部とを備え、被拘束部材が開閉体の閉じられる動作で弾力に抗して拘束部材を拘束位置から解放位置の側に回転させると共に嵌合部と出合うことにより拘束部材の弾力による拘束位置の側への回転を許容して嵌合部と嵌合して遊技機用容器に開閉体を開閉不能に拘束する被嵌合部を備え、施錠装置が鍵による操作で回転するシリンダー錠とシリンダー錠の回転により上記遊技機用容器に開閉体を開閉不能に拘束する嵌合部と被嵌合部との嵌合を解除するように作動するスライド部材とを備え、上記嵌合部と被嵌合部との嵌合により拘束部材と被拘束部材とが互いに重なり合うことを特徴とする遊技機の施錠装置。
【請求項３】
遊技機用容器に開閉体を開閉不能に拘束したり開閉可能に解放したりするように、錠前機構と拘束機構と被拘束部材とを備えた遊技機の施錠装置であって、錠前機構が遊技機用容器及び開閉体の一方に設けられ、被拘束部材が遊技機用容器及び開閉体の他方に設けられ、拘束機構が錠前機構の機構基盤に設けられ、拘束機構が開閉体を開閉不能に拘束する拘束位置と開閉体を開閉可能に解放する解放位置との間を回転する拘束部材と拘束部材を解放位置から拘束位置の側に向けて回転するように弾力を与える弾性部材と拘束部材に設けられた嵌合部とを備え、被拘束部材が開閉体の閉じられる動作で弾力に抗して拘束部材を拘束位置から解放位置の側に回転させると共に嵌合部と出合うことにより拘束部材の弾力による拘束位置の側への回転を許容して嵌合部と嵌合して遊技機用容器に開閉体を開閉不能に拘束する被嵌合部を備え、拘束部材が拘束部材の拘束位置と解放位置とへの回転を妨げない機能と拘束部材を外部から操作できないようにする機能と開閉体の閉じたときの遊技機用容器に対する位置を決める機能とを備えたカバーで覆われたことを特徴とする遊技機の施錠装置。
【請求項４】
遊技機用容器に開閉体を開閉不能に拘束したり開閉可能に解放したりするように、錠前機構と拘束機構と被拘束部材とを備えた遊技機の施錠装置であって、錠前機構が遊技機用容器及び開閉体の一方に設けられ、被拘束部材が遊技機用容器及び開閉体の他方に設けられ、拘束機構が錠前機構の機構基盤に設けられ、拘束機構が開閉体を開閉不能に拘束する拘束位置と開閉体を開閉可能に解放する解放位置との間を回転する拘束部材と拘束部材を解放位置から拘束位置の側に向けて回転するように弾力を与える弾性部材と拘束部材に設けられた嵌合部とを備え、被拘束部材が開閉体の閉じられる動作で弾力に抗して拘束部材を拘束位置から解放位置の側に回転させると共に嵌合部と出合うことにより拘束部材の弾力による拘束位置の側への回転を許容して嵌合部と嵌合して遊技機用容器に開閉体を開閉不能に拘束する被嵌合部を備え、被拘束部材を設ける遊技機用容器及び開閉体の他方の部分には拘束部材を開閉体の開閉動作で出し入れ可能としかつ入った拘束部材の拘束位置と解放位置とへの回転を妨げないと共に拘束部材を外部から操作できないように覆う収容部が設けられたことを特徴とする遊技機の施錠装置。
【請求項５】
被拘束部材の嵌合部と被拘束部材の被嵌合部とが互いに嵌合した場合において、被拘束部材が拘束部材の回転の中心を構成する軸の位置にまで達して拘束部材に重なり合うようになったことを特徴とする請求項1乃至請求項の何れか1つに記載の施錠装置。
【請求項６】
拘束機構又は被拘束部材に開閉検出器が設けられたことを特徴とする請求項１乃至請求４の何れか１つに記載の遊技機の施錠装置。
【請求項７】
拘束機構が遊技機用容器及び開閉体の一方の上下に設けられ、被拘束部材が遊技機用容器及び開閉体の他方の上下に設けられ、上下の拘束機構又は上下の被拘束部材に第１開閉検出器と第２開閉検出器とが個別に設けられ、第１開閉検出器と第２開閉検出器とのオフ信号が時間的にずれて発生した場合に警報器が警報を発することを特徴とする請求項１乃至請求４の何れか１つに記載の遊技機の施錠装置。
【発明の詳細な説明】
【技術分野】
【０００１】
本発明は、遊技機の施錠装置に関する。
【背景技術】
【０００２】
特許文献１又は特許文献２で開示された遊技機の施錠装置は、扉が閉じられるのに伴い、扉又は筐体の一方に設けた拘束部材が扉又は筐体の他方に設けた被拘束部材に衝突して弾性部材の弾力に抗して拘束位置から解放位置に移動した後、扉が全閉位置に達すると、拘束部材が被拘束部材に弾性部材の弾力で解放位置から拘束位置に戻されて被拘束部材に嵌合して扉を開閉不能に拘束する一方、このように扉が開閉不能に拘束された状態において、扉に設けられた錠前を鍵による人為操作で開錠すると、拘束部材が拘束位置から解放位置に移動して扉を全閉位置から開放可能にするようになっている。しかしながら、特許文献１の遊技機の施錠装置は、拘束部材を錠前によらずに不正に拘束位置から解放位置に移動することを防止することから、扉の開閉に伴って分離したり連結したりする連結構造により扉側の錠前で筐体側の拘束部材を上下方向に直線的に平行移動するようになっているので、構造が複雑であるという欠点がある。又、特許文献２の遊技機の施錠装置は、拘束部材を錠前によらずに不正に拘束位置から解放位置に移動することを防止することから、拘束部材と被拘束部材とが互いに合計で４対必要になるので、構造が複雑であるという欠点がある。つまり、特許文献１又は特許文献２の遊技機の施錠装置は、拘束部材を錠前によらずに不正に拘束位置から解放位置に移動することを防止するための不正防止構造が複雑であるという欠点がある。
【先行技術文献】
【特許文献】
【０００３】
【特許文献１】特許第４８００１０８号公報
【特許文献２】特許第４５５９２９９号公報
【発明の概要】
【発明が解決しようとする課題】
【０００４】
本発明は、上記背景技術に鑑みてなされたものであり、拘束部材を錠前によらずに不正に拘束位置から解放位置に移動することを防止するための不正防止構造が簡単になることを目的とする。
【課題を解決するための手段】
【０００５】
本発明は、遊技機用容器に開閉体を開閉不能に拘束したり開閉可能に解放したりするように、遊技機用容器及び開閉体の一方に設けられた拘束機構と、遊技機用容器及び開閉体の他方に設けられた被拘束部材と、遊技機用容器又は開閉体の何れか一方に設けられた錠前機構とを備えた遊技機の施錠装置であって、拘束機構が開閉体を開閉不能に拘束する拘束位置と開閉体を開閉可能に解放する解放位置との間を回転する拘束部材と拘束部材を解放位置から拘束位置の側に向けて回転するように弾力を与える弾性部材と弾性部材の弾力に抗して拘束部材を拘束位置に停止するように拘束部材に設けられた規制部と拘束部材に設けられた嵌合部とを備え、被拘束部材が開閉体の閉じられる動作で弾力に抗して拘束部材を拘束位置から解放位置の側に回転させると共に嵌合部と出合うことにより拘束部材の弾力による拘束位置の側への回転を許容して嵌合部と嵌合して遊技機用容器に開閉体を開閉不能に拘束する被嵌合部を備え、施錠装置が鍵による操作で回転するシリンダー錠とシリンダー錠の回転運動により上記遊技機用容器に開閉体を開閉不能に拘束する嵌合部と被嵌合部との嵌合を解除するように作動するスライド部材とを備え、上記嵌合部と被嵌合部との嵌合により拘束部材と被拘束部材とが互いに重なり合うか、又は、遊技機用容器に開閉体を開閉不能に拘束したり開閉可能に解放したりするように、錠前機構と拘束機構と被拘束部材とを備えた遊技機の施錠装置であって、錠前機構が遊技機用容器及び開閉体の一方に設けられ、被拘束部材が遊技機用容器及び開閉体の他方に設けられ、拘束機構が錠前機構の機構基盤に設けられ、拘束機構が開閉体を開閉不能に拘束する拘束位置と開閉体を開閉可能に解放する解放位置との間を回転する拘束部材と拘束部材を解放位置から拘束位置の側に向けて回転するように弾力を与える弾性部材と弾性部材の弾力に抗して拘束部材を拘束位置に停止するように拘束部材に設けられた規制部と拘束部材に設けられた嵌合部とを備え、被拘束部材が開閉体の閉じられる動作で弾力に抗して拘束部材を拘束位置から解放位置の側に回転させると共に嵌合部と出合うことにより拘束部材の弾力による拘束位置の側への回転を許容して嵌合部と嵌合して遊技機用容器に開閉体を開閉不能に拘束する被嵌合部を備え、施錠装置が鍵による操作で回転するシリンダー錠とシリンダー錠の回転により上記遊技機用容器に開閉体を開閉不能に拘束する嵌合部と被嵌合部との嵌合を解除するように作動するスライド部材とを備え、上記嵌合部と被嵌合部との嵌合により拘束部材と被拘束部材とが互いに重なり合うか、又は、遊技機用容器に開閉体を開閉不能に拘束したり開閉可能に解放したりするように、錠前機構と拘束機構と被拘束部材とを備えた遊技機の施錠装置であって、錠前機構が遊技機用容器及び開閉体の一方に設けられ、被拘束部材が遊技機用容器及び開閉体の他方に設けられ、拘束機構が錠前機構の機構基盤に設けられ、拘束機構が開閉体を開閉不能に拘束する拘束位置と開閉体を開閉可能に解放する解放位置との間を回転する拘束部材と拘束部材を解放位置から拘束位置の側に向けて回転するように弾力を与える弾性部材と拘束部材に設けられた嵌合部とを備え、被拘束部材が開閉体の閉じられる動作で弾力に抗して拘束部材を拘束位置から解放位置の側に回転させると共に嵌合部と出合うことにより拘束部材の弾力による拘束位置の側への回転を許容して嵌合部と嵌合して遊技機用容器に開閉体を開閉不能に拘束する被嵌合部を備え、拘束部材が拘束部材の拘束位置と解放位置とへの回転を妨げない機能と拘束部材を外部から操作できないようにする機能と開閉体の閉じたときの遊技機用容器に対する位置を決める機能とを備えたカバーで覆われるか、又は、遊技機用容器に開閉体を開閉不能に拘束したり開閉可能に解放したりするように、錠前機構と拘束機構と被拘束部材とを備えた遊技機の施錠装置であって、錠前機構が遊技機用容器及び開閉体の一方に設けられ、被拘束部材が遊技機用容器及び開閉体の他方に設けられ、拘束機構が錠前機構の機構基盤に設けられ、拘束機構が開閉体を開閉不能に拘束する拘束位置と開閉体を開閉可能に解放する解放位置との間を回転する拘束部材と拘束部材を解放位置から拘束位置の側に向けて回転するように弾力を与える弾性部材と拘束部材に設けられた嵌合部とを備え、被拘束部材が開閉体の閉じられる動作で弾力に抗して拘束部材を拘束位置から解放位置の側に回転させると共に嵌合部と出合うことにより拘束部材の弾力による拘束位置の側への回転を許容して嵌合部と嵌合して遊技機用容器に開閉体を開閉不能に拘束する被嵌合部を備え、被拘束部材を設ける遊技機用容器及び開閉体の他方の部分には拘束部材を開閉体の開閉動作で出し入れ可能としかつ入った拘束部材の拘束位置と解放位置とへの回転を妨げないと共に拘束部材を外部から操作できないように覆う収容部が設けられたことを主要な特徴とする。
【発明の効果】
【０００６】
本発明は、嵌合部と被嵌合部との嵌合により拘束部材と被拘束部材とが互いに重なり合うか又は拘束部材がカバーで覆われるか又は被拘束部材を設ける遊技機用容器及び開閉体の他方の部分に収容部を設けることにより、拘束部材を錠前機構によらずに不正に拘束位置から解放位置に回動することを防止する不正防止構造が簡単になるという効果がある。又、本発明にあっては、被拘束部材の嵌合部と被拘束部材の被嵌合部とが互いに嵌合した場合において、被拘束部材が拘束部材の回転の中心を構成する軸の位置にまで達して拘束部材に重なり合うようになっていれば、拘束機構の嵌合部と被拘束部材の被嵌合部とが互いに嵌合した状態において、開閉体が開く方向に引っ張られても、被拘束部材により拘束部材が軸を回転中心として上方に回転されることがなく、上記嵌合部と被嵌合部との相互の嵌合が維持されて、開閉体が不正に開かれることは防止できるという効果がある。又、本発明にあっては、拘束機構又は被拘束部材に開閉検出器が設けられれば、開閉体の開動作又は閉動作のうちの１回の動作で施錠装置による機械的な機能と開閉検出器による電気的な機能とを発揮することができるという効果がある。又、本発明にあっては、拘束機構が遊技機用容器及び開閉体の一方の上下に設けられ、被拘束部材が遊技機用容器及び開閉体の他方の上下に設けられ、上下の拘束機構又は上下の被拘束部材に第１開閉検出器と第２開閉検出器とが個別に設けられ、第１開閉検出器と第２開閉検出器とのオフ信号が時間的にずれて発生した場合に警報器が警報を発すれば、第１開閉検出器と第２開閉検出器を利用して開閉体の開閉を管理することができるという効果がある。
【図面の簡単な説明】
【０００７】
【図１】実施の形態１のパチンコ機を示す斜視図。
【図２】実施の形態１の施錠装置の一部を示す斜視図。
【図３】実施の形態１の前枠の閉じ始めでの施錠装置の動作を示す模式図。
【図４】実施の形態１の前枠の閉じ途中での施錠装置の動作を示す模式図。
【図５】実施の形態１の前枠の閉じ終わりでの施錠装置による拘束を示す模式図。
【図６】実施の形態１の前枠の閉じ終わりでの施錠装置による解除を示す模式図。
【図７】実施の形態１の前枠の開き始めでの施錠装置の動作を示す模式図。
【図８】実施の形態１の前枠の開き途中での施錠装置の動作を示す模式図。
【図９】実施の形態２の施錠装置の一部を示す斜視図。
【図１０】実施の形態３のスロットマシンを示す斜視図。
【図１１】実施の形態３の施錠装置の一部を示す斜視図。
【図１２】実施の形態４のパチンコ機を示す斜視図。
【図１３】実施の形態４の施錠装置の一部を示す斜視図。
【図１４】実施の形態４の前枠の閉じ始めでの施錠装置の動作を示す模式図。
【図１５】実施の形態４の前枠の閉じ途中での施錠装置の動作を示す模式図。
【図１６】実施の形態４の前枠の閉じ終わりでの施錠装置による拘束を示す模式図。
【図１７】実施の形態４の前枠の閉じ終わりでの施錠装置による解除を示す模式図。
【図１８】実施の形態５の施錠装置の一部を示す斜視図。
【図１９】実施の形態６の前枠の閉じ終わりでの施錠装置による拘束を示す模式図。
【図２０】実施の形態７の前枠の閉じ終わりでの施錠装置による拘束を示す模式図。
【図２１】実施の形態８の施錠装置を示す模式図。
【図２２】実施の形態８の施錠装置の動作を示す図表。
【発明を実施するための形態】
【０００８】
本明細書における「前」、「後」、「左」、「右」、「上」、「下」の方向は、図１の状態にパチンコ機を置いて矢印Ｓで示す前側から見た場合に特定される方向である一方、図１０の状態にスロットマシンを置いて矢印Ｓで示す前側から見た場合に特定される方向である。
【０００９】
図１を参照し、実施の形態１に係る遊技機としてパチンコ機を例示して説明する。パチンコ機は、遊技機枠１に遊技盤２６を取り付けることによって構成される。遊技機枠１は、遊技機容器としての外枠２に開閉体としての前枠３を左側のヒンジ４で開閉可能に連結し、前枠３に前扉５を左側の図外のヒンジで開閉可能に連結した構成である一方、施錠装置６を右側に備える。施錠装置６としては、外枠２に上下に分かれて設けられた枠側の拘束機構７；８と、前枠３に設けられた錠前機構９と、前枠３に上下に分かれて設けられた枠側の被拘束部材１０；１１と、前枠３に上下に分かれて設けられた扉側の拘束機構１２；１３と、前扉５に上下に分かれて設けられた扉側の被拘束部材１４；１５とを備えた構造を例として説明する。
【００１０】
実施の形態１に係る施錠装置６にあっては、外枠２から離れる側に開かれた前枠３が人為操作によりヒンジ４を回転中心として外枠２の側に閉じられるのに伴い、拘束機構７；８と被拘束部材１０；１１とが互いに嵌合して前枠３を外枠２に開閉不能に拘束する。このように前枠３が外枠２に開閉不能に拘束された状態において、図外の鍵が人為操作により前方から錠前機構９におけるシリンダー錠１６の鍵孔１７に挿入され、その挿入された状態から鍵が人為操作により例えば右方向に９０度回転操作されるというように開錠操作されるのに伴い、シリンダー錠１６が錠前機構９におけるスライド部材１８；１９を上下方向に作動し、スライド部材１８；１９が上記拘束機構７；８と被拘束部材１０；１１との嵌合を解除するように拘束機構７；８を作動して前枠３を外枠２に開閉可能に解放する。このように解放された前枠３が人為操作によりヒンジ４を回転中心として外枠２から離れる側に開かれる。
【００１１】
シリンダー錠１６の回転によりスライド部材１８；１９が上下方向に作動するのは、シリンダー錠１６の出力部材としての内筒とスライド部材１８；１９とが当該内筒の回転運動をスライド部材１８；１９の上下方向の直線運動に変換する図外の運動変換機構で連結されている構造によるものである。この運動変換機構としてはカム機構又はピニオンギヤとラックギヤとかなる機構又は螺子棒とナットとからなる機構等が考えられる。
【００１２】
又、前枠３から離れる側に開かれた前扉５が人為操作により図外のヒンジを回転中心として前枠３の側に閉じられるのに伴い、拘束機構１２；１３と被拘束部材１４；１５とが互いに嵌合して前扉５を前枠３に開閉不能に拘束する。このように前扉５が前枠３に開閉不能に拘束された状態において、上記前枠３に対する図外の鍵と同じ鍵が人為操作により前方から鍵孔１７に挿入され、その挿入された状態から鍵が人為操作により例えば左方向に９０度回転操作されるというように開錠操作されるのに伴い、シリンダー錠１６が上記拘束機構１２；１３と被拘束部材１４；１５との嵌合を解除するように拘束機構１２；１３を上下方向に作動して前扉５を前枠３に開閉可能に解放する。このように解放された前扉５が人為操作により図外のヒンジを回転中心として前枠３から離れる側に開かれる。
【００１３】
シリンダー錠１６の回転により拘束機構１２；１３が上下方向に作動するのは、シリンダー錠１６の出力部材としての内筒と拘束機構１２；１３とが当該内筒の回転運動を拘束機構１２；１３の上下方向の直線運動に変換する図外の運動変換機構で連結されている構造によるものである。この運動変換機構としてはカム機構又はピニオンギヤとラックギヤとかなる機構又は螺子棒とナットとからなる機構等が考えられる。
【００１４】
前枠３には、前記施錠装置６に関係する部材の他に、球発射機構２０や図外の球払出機構が設けられる。前扉５には、前記施錠装置６に関係する部材の他に、窓２１、窓２１を塞ぐガラス装置２２、球受皿２３、発射操作機構２４、鍵孔逃げ部２５が設けられる。そして、前扉５が前枠３に対して閉じられた場合、鍵孔逃げ部２５が鍵孔１７の部分と位置が対応し、図外の鍵が鍵孔逃げ部２５を経由して鍵孔１７に抜き差し可能になる。前扉５の窓２１及びガラス装置２２を有する部分と前扉５の球受皿２３及び発射操作機構２４を有する部分とが個別に開閉可能となるように分かれた構造でもよい。
【００１５】
遊技盤２６が前枠３に交換し得るように着脱可能に装着され、前枠３が閉じられて拘束機構７；８と被拘束部材１０；１１とにより外枠２に開閉不能に拘束される一方、前扉５が閉じられて拘束機構１２；１３と被拘束部材１４；１５とにより前枠３に開閉不能に拘束されると、遊技盤２６の前面におけるガイドレール２７で囲まれた球の飛び交う遊技領域２８が遊技機枠１の前方から窓２１およびガラス装置２２における無色透明なガラス板を通して視認可能な状態になる。
【００１６】
外枠２は、左右の縦部材と上下の横部材とで囲まれた前後方向に貫通する前面視方形な内部空間を構成し、内部空間の下前部を塞ぐ幕部材が左右の縦部材と下の横部材とに固定された造形になっている。前枠３は、外枠２の内部空間における幕部材よりも上方の部分の前部を塞ぐ大きさの方形に構成され、上部に遊技盤２６が着脱可能に装着され、下部に球発射機構２０が設けられる。
【００１７】
図２を参照し、実施の形態１に係る外枠２の上側に設けられた拘束機構７と前枠３の上側に設けられた被拘束部材１０と拘束機構７を作動するように前枠３に設けられたスライド部材１８との構造について説明する。拘束機構７は、機構基盤３１と拘束部材３２と弾性部材３３とを備える。機構基盤３１は、外枠２の内部空間の側で上部に位置しかつ外枠２に固定されるように取り付けられる。機構基盤３１には、一対の支持部３４が機構基盤３１の左右側部から下方に直角に折り曲げられて設けられる。
【００１８】
拘束部材３２は、前枠３を開閉不能に拘束する拘束位置と前枠３を開閉可能に解放する解放位置との間を回転し得るように機構基盤３１に軸３５を回転中心として回転可能に連結され、拘束位置で拘束部材３２が被拘束部材１０に重なり合うように前後方向に延びる板状の造形である。拘束部材３２の一端部には、一対の支持部３６が拘束部材３２の左右側部から上方に直角に折り曲げられて設けられる。一対の支持部３６の一方又は両方には、規制部３７が軸３５の軸心よりも上方及び後部に突出して設けられる。規制部３７は、弾性部材３３の弾力に抗して拘束部材３２を拘束位置に停止するように拘束部材３２に設けられる。拘束部材３２の他端部には受部３８が左側又は右側の一側に突出して設けられる。拘束部材３２の受部３８と支持部３６との間の部分には、嵌合部３９が拘束部材３２から下方に突出して設けられる。
【００１９】
例えば、拘束部材３２が機構基盤３１よりも下方に配置され、機構基盤３１の支持部３４の下部と拘束部材３２の支持部３６の上部とが互いに左右方向に重なるように配置され、その重なる部分に軸３５が軸心を左右の方向に延びるように装着され、拘束部材３２の受部３８が前側に配置され、弦巻ばねのような弾性部材３３が機構基盤３１と拘束部材３２との間に設けられて機構基盤３１と拘束部材３２とに接触して拘束部材３２を解放位置から拘束位置の側に向けて回転する方向の弾力を拘束部材３２に与えるように装着される。この弾性部材３３から与えられた弾力により拘束部材３２が軸３５を回転中心として下方に回転運動するのに伴い、拘束部材３２の規制部３７の軸３５よりも後方に突出した部分が機構基盤３１に下方から接触し、それ以上、拘束部材３２が軸３５を回転中心として下方に回転しないように停止して被拘束部材１０と衝突しない状態になる。
【００２０】
弾性部材３３は、軸３５の周りに設けられた弦巻ばねでもよい。弾性部材３３が軸３５の周りに設けられる場合、弾性部材３３の一端部が機構基盤３１に接触し、弾性部材３３の他端部が拘束部材３２に接触して、弾性部材３３が拘束部材３２を解放位置から拘束位置の側に向けて回転する方向の弾力を拘束部材３２に与えるようにしてもよい。つまり、弦巻ばねのコイル形状の部分が軸３５の周りに外嵌装着されるものの、コイル形状の部分の両端から個別に延びる一対の延長部分が機構基盤３１と拘束部材３２とに接触しているので、この弾性部材３３も機構基盤３１と拘束部材３２との間に設けられたものといえる。又、弾性部材３３は、弦巻ばねに限定されるものではなく、板ばねでもよい。
【００２１】
被拘束部材１０は前枠３から後側に突出する板状の造形であり前枠３の上部に位置しかつ固定されるように取り付けられ、前枠３が外枠２の側に閉じられるのに伴い、被拘束部材１０が拘束部材３２の真下に潜り込むような配置になっている。被拘束部材１０の前枠３から後側に突出する部分には、被嵌合部４１が下方への窪み又は上下方向への貫通孔又は溝として設けられる。被拘束部材１０の被嵌合部４１よりも後端部は、後方に行くに従って徐々に下り勾配となるように傾斜する誘導部４２を構成する。尚、嵌合部３９が貫通孔又は窪み又は溝として拘束部材３２に形成され、被嵌合部４１が突起として被拘束部材１０に設けられてもよい。
【００２２】
被拘束部材１０の左側又は右側の一側には、スイッチ取付部４３が下方に突出して設けられる。被拘束部材１０の被嵌合部４１よりも前側には、作動逃げ部４４が上下方向への貫通孔として設けられる。スイッチ取付部４３には、開閉検出器４５が被拘束部材１０の真下に位置して装着される。開閉検出器４５としては、マイクロスイッチのような接触型に限定されるものではなく、光や電界を利用する非接触型でもよいが、マイクロスイッチを例示する。よって、開閉検出器４５としてのマイクロスイッチのボディがスイッチ取付部４３に装着された場合には、マイクロスイッチのボディよりも外側に突出したスイッチ作動片４６の自由端部の一部が作動逃げ部４４を経由して被拘束部材１０よりも上方に突出する。開閉検出器４５としてのマイクロスイッチのボディは、端子部４７を備える。スイッチ取付部４３及び開閉検出器４５は設けられないこともある。又、開閉検出器４５は、外枠２又は前枠３又は被拘束部材１０又は機構基盤３１又は拘束部材３２に設けられてもよい。
【００２３】
スライド部材１８は、錠前機構９の機構基盤４９に上下方向に移動可能に取り付けられる。スライド部材１８の上下方向への移動は、機構基盤４９に設けられたガイド部５０とスライド部材１８に設けられた被ガイド部５１との嵌め合いにより誘導される。機構基盤４９は、前枠３の後側で右部に位置しかつ前枠３に固定されるように取り付けられる。機構基盤４９が前枠３に取り付けられた場合には、機構基盤４９に固定的に設けられたシリンダー錠１６が前枠３に設けられた図外の錠前逃げ部を経由して前枠３の前側に配置される。
【００２４】
図３乃至図８を参照し、実施の形態１に係る前枠３の開閉に伴う拘束機構７と被拘束部材１０とスライド部材１８との動作について説明する。図３乃至図８では図２に示す開閉検出器４５の図示を省略してある。図３は、前枠３が矢印Ｘ１方向に閉じる過程であり、スライド部材１８が下降限度位置に停止し、被拘束部材１０の誘導部４２が拘束機構７の拘束部材３２の真下に潜り込んで拘束機構７と接触していない状態であり、拘束機構７の拘束部材３２が弾性部材３３の弾力により軸３５を回転中心として解放位置から拘束位置の側に回転し、拘束部材３２の規制部３７が機構基盤３１の下部に下方から接触して受け止められて、拘束部材３２が拘束位置に停止した状態を示す。
【００２５】
図４は、スライド部材１８が下降限度位置に停止したまま、前枠３が図３の状態から矢印Ｘ１方向に更に閉じるのに伴い、被拘束部材１０による拘束部材３２の真下への潜り込みが更に進行し、拘束部材３２の嵌合部３９が誘導部４２への接触から被拘束部材１０の上部への接触に移行し、その接触位置の移行に伴い、拘束部材３２が弾性部材３３に弾力を蓄積させつつ軸３５を回転中心として拘束位置から解放位置の側に回転した状態を示す。
【００２６】
図５は、スライド部材１８が下降限度位置に停止したまま、前枠３が図４の状態から矢印Ｘ１方向に更に閉じて、拘束部材３２の嵌合部３９が被拘束部材１０の被嵌合部４１に出合うことにより、拘束部材３２が弾性部材３３の弾力により軸３５を回転中心として解放位置の側から拘束位置の側に回転し、嵌合部３９が被嵌合部４１に嵌合し、規制部３７が機構基盤３１の下部に下方から接触して受け止められ、拘束部材３２が水平状となって被拘束部材１０と重なり合う状態を示す。このように拘束部材３２と被拘束部材１０とが互いに重なり合った場合、拘束部材３２が被拘束部材１０よりも横方向の外側に突出することがないよう拘束部材３２と被拘束部材１０とが互いに重なり合うので、遊技機枠１の外側から内部に挿入された不正操作部材で拘束部材３２を拘束位置から解放位置の側に操作して嵌合部３９と被嵌合部４１との嵌合を不正に解除することができない。よって、実施の形態１に係る拘束部材３２が被拘束部材１０よりも横方向の外側に突出することがないよう拘束部材３２と被拘束部材１０とが互いに重なり合う構造を備えた施錠装置６は、拘束部材６５を錠前機構９によらずに不正に拘束位置から解放位置に移動することを防止するための不正防止構造が、段落０００２に記載した特許文献１及び特許文献２の施錠装置よりも簡単になる。
【００２７】
又、拘束部材３２と被拘束部材１０とが互いに重なり合った場合、受部３８が被拘束部材１０よりも横方向の外側に突出するが、受部３８の周りには、被拘束部材１０とスライド部材１８と機構基盤４９とが配置されているので、被拘束部材１０とスライド部材１８との間の隙間又は被拘束部材１０と機構基盤４９との間の隙間をスライド部材１８の上下方向への移動を妨げない範囲でできるだけ狭く形成することにより、拘束部材３２を拘束位置から解放位置に回動するように不正操作部材で受部３８を操作することができないので、拘束部材３２を錠前機構９によらずに不正に拘束位置から解放位置に回動することを防止する不正防止構造が簡単である。このような拘束機構７の嵌合部３９と被拘束部材１０の被嵌合部４１との嵌合により、閉じられた前枠３が拘束機構７と被拘束部材１０との協同により外枠２に開閉不能に拘束されて全閉位置に停止した状態になる。よって、規制部３７と機構基盤３１とが互いに接触し、嵌合部３９と被嵌合部４１とが互いに嵌合し、拘束部材３２と被拘束部材１０とが互いに重なり合う位置が、拘束部材３２の開閉体としての前枠３を開閉不能に拘束する拘束位置である。
【００２８】
又、閉じられた前枠３が外枠２に開閉不能に拘束された状態において、前枠３を外枠２から前側に離れるように開くには、図外の鍵が人為操作により前方から図１に示すシリンダー錠１６の鍵孔１７に挿入され、その挿入された状態から鍵が人為操作により例えば右方向に９０度回転操作されるように開錠操作されるのに伴い、スライド部材１８が図５に示す下降限度位置から矢印Ｙ１方向に作動する。
【００２９】
図６は、スライド部材１８が下降限度位置から昇限度位置に停止するまでの間において拘束部材３２の受部３８を下から突き上げるのに伴い、拘束部材３２が弾性部材３３に弾力を蓄積させつつ軸３５を回転中心として拘束位置から解放位置の側に回転し、拘束部材３２の嵌合部３９が被拘束部材１０の被嵌合部４１から上方に抜けて上昇限度位置に停止した状態を示す。このような拘束機構７の嵌合部３９と被拘束部材１０の被嵌合部４１との嵌合が解除されることにより、閉じられた前枠３が外枠２に開閉可能に解放される。このように閉じられた前枠３が外枠２に開閉可能に解放された状態において、前枠３を外枠２から前側に離れるように開くには、段落００２５に記載された図外の鍵の図１に示す鍵孔１７に挿入された状態から例えば右方向に９０度回転操作された位置を人為操作により確保してスライド部材１８を上昇限度位置に停止したまま、前枠３が人為操作により図６に示す矢印Ｘ２方向に開かれる。よって、嵌合部３９と被嵌合部４１との嵌合が解除される位置が拘束部材３２の開閉体としての前枠３を開閉可能に解放する解放位置である。
【００３０】
図７は、スライド部材１８が上昇限度位置に停止したまま、前枠３が人為操作により矢印Ｘ２方向に開かれたことにより、拘束部材３２の嵌合部３９が被拘束部材１０の被嵌合部４１よりも後側に位置をずらして弾性部材３３の弾力で被拘束部材１０の上に接触した状態を示す。このように嵌合部３９が被嵌合部４１よりも後側に位置をずらし被拘束部材１０の上に接触した場合には、上昇限度位置に停止したままのスライド部材１８が受部３８から離れる。
【００３１】
図８は、スライド部材１８が上昇限度位置に停止したまま、前枠３が図７の状態から矢印Ｘ２方向に更に開かれたことにより、被拘束部材１０が拘束機構７から離れて接触していない状態であり、拘束機構７の拘束部材３２が弾性部材３３の弾力により軸３５を回転中心として解放位置の側から拘束位置の側に回転し、拘束部材３２の規制部３７が機構基盤３１の下部に下方から接触して受け止められて、拘束部材３２が拘束位置に停止した状態を示す。このように前枠３が矢印Ｘ２方向に更に開かれた状態において、段落００２５に記載された図外の鍵を例えば右方向に９０度回転操作された位置から図１に示す鍵孔１７に挿入された状態へと人為操作により戻すように施錠操作すると、スライド部材１８が図３に示すように上昇限度位置から移動して下降限度位置に戻って停止する。
【００３２】
尚、図２に示すように開閉検出器４５が設けられていれば、図３と図４と図６乃至図８に示すように拘束機構７の嵌合部３９と被拘束部材１０の被嵌合部４１との嵌合が解除され、前枠３が外枠２に開閉可能に解放された状態においては、拘束部材３２が図２に示すスイッチ作動片４６の被拘束部材１０よりも上方に突出した部分を下方に押し下げることができない。よって、スイッチ作動片４６が押し下げられていないとき、開閉検出器４５が前枠３の外枠２への開閉可能な解放を検出した信号を端子部４７から出力することができる。
【００３３】
又、図２に示すように開閉検出器４５が設けられていれば、図５に示すように前枠３が拘束機構７と被拘束部材１０との協同により外枠２に開閉不能に拘束される場合において、拘束部材３２が弾性部材３３の弾力により軸３５を回転中心として下方に回転して拘束位置に停止する過程で図２に示すスイッチ作動片４６の被拘束部材１０よりも上方に突出した部分を下方に押し下げることができる。よって、スイッチ作動片４６が押し下げられているとき、開閉検出器４５が前枠３の外枠２への開閉不能な拘束を検出した信号を端子部４７から出力することができる。
【００３４】
施錠装置６に開閉検出器４５が設けられていれば、施錠装置６という１つの構造体で２つの機能をもつことができる。つまり、１つは拘束機構７と被拘束部材１０とによる機械的な機能であり、もう１つは開閉検出器４５による電気的な機能である。電気的な機能としては、鍵によるシリンダー錠１６の開け閉めで又は前枠３が全閉したときに錠前検知又は開錠検知又は不正検知等の信号の遮断又は送信を行うことができる。しかも、遊技機枠１という狭い構造物において、施錠装置６による機械的な機能と開閉検出器４５による電気的な機能とを別々の場所に設置する必要がなくなる。例えば、前枠３が開いたときに前枠３を開けた遊技機側への警告音の発生と店のホストコンピューターへの表示とができる。
【００３５】
又、開錠検知又は不正検知等の信号により、パチンコ機の場合は球発射機構２０の発射動作を止めるとか入賞口に入った玉の検出を止める等、スロットマシンの場合は賭け数の設定を中止したり挿入されたメダルを遊技者側に戻すようにしたりする等して、不正に玉やメダルを得ることができないように、遊技機で遊技を行うことができないようにすることが可能になる。この明細書においては、スロットマシンはパチスロマシンと同義語である。換言するならば、遊技機の裏や表から遊技機の内部を不正に操作しても肝心な機能が止まっていることを利用した不正対策が考えられる。開閉検出器４５が図１に示す拘束機構７；８又は被拘束部材１０；１１に設けるというように複数個の開閉検出器４５が有れば電気的な信号の使い分けが可能になる。
【００３６】
又、図３乃至図５において、スライド部材１８が下降限度位置に停止した場合、スライド部材１８が図示のように被拘束部材１０よりも下方に離れている必要はなく、スライド部材１８が図５に示す水平状になった被拘束部材１０から下方に離れていればよいので、スライド部材１８の上端部が被拘束部材１０の左右方向で横に並ぶ位置でもよい。
【００３７】
開閉検出器４５が拘束機構７；８に取り付けられるか又は外枠２に取り付けられるというように外枠２の側に設置されてもよいが、開閉検出器４５が図２に示すように被拘束部材１０に取り付けられるか又は前枠３に取り付けられるというように前枠３の側に設置されれば、パチンコ機では、図１に示す遊技盤２６や図外の制御装置及び外部端子板などの機器が前枠３に装着されているので、開閉検出器４５を外枠２の側に設置した場合よりも、開閉検出器４５の制御装置や外部端子板に対する配線が簡単になるという利点がある。外部端子板は、パチンコ機で発生する当たりや不正操作等の遊技管理情報をパチンコ機から店の営業を管理するホールコンピューターと呼ばれる店管理装置に送信する部品である。
【００３８】
図２及び図３乃至図８では、拘束部材３２が被拘束部材１０の上に重なるように拘束機構７と被拘束部材１０とを配置したが、拘束部材３２が被拘束部材１０の下に重なるように拘束機構７と被拘束部材１０とを配置してもよい。このように拘束部材３２が被拘束部材１０の下に重なるように拘束機構７と被拘束部材１０とを配置した場合は、スライド部材１８がシリンダー錠１６の例えば右方向への回転操作により下方に移動して受部３８を下方に押し下げるようにすればよい。
【００３９】
図２及び図３乃至図８に関する段落００１７乃至段落００２８の記載において、拘束機構７を拘束機構８と読み替え、被拘束部材１０を被拘束部材１１と読み替え、スライド部材１８をスライド部材１９と読み替えることにより、実施の形態１に係る外枠２の下側に設けられた拘束機構８と前枠３の下側に設けられた被拘束部材１１と拘束機構８を作動するように前枠３に設けられたスライド部材１９との構造及び動作は理解できるであろう。この場合、拘束部材３２が被拘束部材１０の下に重なるように拘束機構７と被拘束部材１０とが配置されるので、スライド部材１９がシリンダー錠１６の例えば右方向への回転操作により上方に移動して受部３８を上方に持ち上げるようにすればよい。又、拘束部材３２が被拘束部材１０の上に重なるように拘束機構８と被拘束部材１１とを配置することも可能であるが、その場合は、スライド部材１９がシリンダー錠１６の例えば右方向への回転操作により下方に移動して受部３８を下方に押し下げるようにすればよい。
【００４０】
図１では、拘束機構７；８が外枠２に設けられ、被拘束部材１０；１１が前枠３に設けられたが、拘束機構７；８が前枠３に設けられ、被拘束部材１０；１１が外枠２に設けられてもよい。又、拘束機構７；８及び被拘束部材１０；１１の一方を拘束機構１２；１３に代替して前枠３に設け、拘束機構７；８及び被拘束部材１０；１１の他方を被拘束部材１４；１５に代替して前扉５に設けてもよい。拘束機構７；８と被拘束部材１０；１１との個数は同じ個数であるが、２個ずつに限定されるものではなく、１個ずつ又は３個ずつ以上であってもよい。又、拘束機構７；８が図外の部材で一体に繋げられるように構成してもよい。具体的には、図２に示す拘束機構７の機構基盤３１と図１の拘束機構８における機構基盤３１に相当する図外の機構基盤とが図外の部材で一体に繋げられることにより、拘束機構７；８の取り付けが容易になる。又、図２に示す開閉検出器４５が、被拘束部材１０に設けられることなく被拘束部材１１に設けられてもよく、被拘束部材１０と被拘束部材１１との双方に設けられてよい。
【００４１】
図９を参照し、実施の形態２に係る施錠装置６について説明する。実施の形態２では、図９に示すように、被拘束部材１０と機構基盤４９とが一体に構成され、錠前機構９が前枠３に取り付けられることで、被拘束部材１０も前枠３に取り付けられる利点がある。例えば、被拘束部材１０が機構基盤４９における前枠３に取り付けられる部分５２に設けられ、被拘束部材１０とスライド部材１８の配置された機構基盤４９との間にはスライド部材１８を逃げる空間５３が設けられる。又、被拘束部材１０と機構基盤４９における前枠３に取り付けられる部分５２とには筋交い５４が繋がっている。筋交い５４は設けなくてもよいが、筋交い５４を設けることで、被拘束部材１０と機構基盤４９との厚さを薄くして軽量化を図っても、前枠３が閉じられる過程で被拘束部材１０が嵌合部３９で押されても被拘束部材１０が撓むことがなく、被拘束部材１０の姿勢が確保される。尚、図９では開閉検出器４５の図示を省略したが、筋交い５４に代替して図２に示すスイッチ取付部４３を被拘束部材１０又は構基盤４９における前枠３に取り付けられる部分５２に設けて、そのスイッチ取付部４３に開閉検出器４５を設置してもよい。尚、図示は省略したが、被拘束部材１１が機構基盤４９における前枠３に取り付けられる部分５２に設けられ、被拘束部材１１と機構基盤４９とが一体に構成されてもよい。
【００４２】
図１０を参照し、実施の形態３に係る遊技機としてスロットマシンを例示して説明する。スロットマシンは、遊技機枠１に図外の回胴式図柄表示装置を取り付けることによって構成される。遊技機枠１は、遊技機容器としての筐体５６に開閉体としての前扉５７を左側のヒンジ５８で開閉可能に連結した構成である一方、施錠装置６を右側に備える。施錠装置６としては、筐体５６に上下に分かれて設けられた拘束機構７；８と、前扉５７に設けられた錠前機構９と、前扉５７に上下に分かれて設けられた被拘束部材１０；１１とを備えた構造を例として説明する。
【００４３】
実施の形態３に係る施錠装置６にあっては、筐体５６から離れる側に開かれた前扉５７が人為操作によりヒンジ５８を回転中心として筐体５６の側に閉じられるのに伴い、拘束機構７；８と被拘束部材１０；１１とが互いに嵌合して前扉５７を筐体５６に開閉不能に拘束する。このように前扉５７が筐体５６に開閉不能に拘束された状態において、図外の鍵が人為操作により前方から錠前機構９におけるシリンダー錠１６の鍵孔１７に挿入され、その挿入された状態から鍵が人為操作により例えば右方向又は左方向に９０度回転操作されるのに伴い、シリンダー錠１６が錠前機構９におけるスライド部材１８；１９を上下方向に作動し、スライド部材１８；１９が上記拘束機構７；８と被拘束部材１０；１１との嵌合を解除するように拘束機構７；８を作動して前扉５７を筐体５６に開閉可能に解放する。このように解放された前扉５７が人為操作によりヒンジ５８を回転中心として筐体５６から離れる側に開かれる。
【００４４】
図外の回胴式図柄表示装置や制御装置及びホッパー等の機器が筐体５６に交換し得るように着脱可能に装着され、前扉５７が閉じられて拘束機構７；８と被拘束部材１０；１１とにより筐体５６に開閉不能に拘束されと、回胴式図柄表示装置の前面が遊技機枠１の前方から前扉５７に設けられた透明な部材で区画された図柄可視領域部５９を通して視認可能な状態になる。
【００４５】
筐体５６は、左右の縦部材と上下の横部材と背部材とで囲まれた前方に開放されかつ左右上下後の囲まれた方形な内部空間を構成した造形である。前扉５７は、筐体５６の内部空間の前部を塞ぐ大きさの方形に構成された造形である。
【００４６】
図１１を参照し、実施の形態３に係る筐体５６に設けられた上側の拘束機構７と前扉５７に設けられた上側の被拘束部材１０と前扉５７に設けられた上側のスライド部材１８との構造について説明する。拘束機構７は、機構基盤３１と拘束部材３２と弾性部材３３とを備える。そして、例えば、拘束部材３２が機構基盤３１よりも下方に配置され、機構基盤３１の支持部３４の下部と拘束部材３２の支持部３６の上部とが互いに左右方向に重なるように配置され、その重なる部分に軸３５が軸心を左右の方向に延びるように装着され、拘束部材３２の受部３８が前側に配置され、弾性部材３３が機構基盤３１と拘束部材３２との間で機構基盤３１と拘束部材３２とに接触して拘束部材３２を機構基盤３１から離す方向に弾力を与えるように装着される。この弾性部材３３から与えられた弾力により拘束部材３２が軸３５を回転中心として下方に回転運動するのに伴い、拘束部材３２の規制部３７の軸３５よりも後方に突出した部分が機構基盤３１に下方から接触し、それ以上、拘束部材３２が軸３５を回転中心として下方に回転しないように停止して水平状になる。拘束部材３２の受部３８と支持部３６との間の部分には、嵌合部３９が拘束部材３２から下方に突出して設けられる。
【００４７】
被拘束部材１０は前扉５７から後側に突出するように前扉５７の上部に位置しかつ固定されるように取り付けられ、前扉５７が筐体５６の側に閉じられるのに伴い、被拘束部材１０が拘束部材３２の真下に潜り込むような配置になっている。被拘束部材１０の前扉５７から後側に水平状に突出する部分には、被嵌合部４１が下方への窪み又は上下方向への貫通孔として設けられる。被拘束部材１０の被嵌合部４１よりも後端部は、後方に行くに従って徐々に下り勾配となるように傾斜する誘導部４２を構成する。スライド部材１８は、錠前機構９の機構基盤４９に上下方向に移動可能に取り付けられる。スライド部材１８の上下方向への移動は、機構基盤４９に設けられたガイド部５０とスライド部材１８に設けられた被ガイド部５１との嵌め合いにより誘導される。機構基盤４９は、前扉５７の後側で右部に位置しかつ前扉５７に固定されるように取り付けられる。機構基盤４９が前扉５７に取り付けられた場合には、機構基盤４９に固定的に設けられたシリンダー錠１６が前扉５７に設けられた図外の錠前逃げ部を経由して前扉５７の前側に配置される。
【００４８】
尚、実施の形態３に係る前扉５７の開閉に伴う拘束機構７と被拘束部材１０とスライド部材１８との動作については、図３乃至図８に関する段落００２２乃至段落００２８の記載において、外枠２を筐体５６と読み替えかつ前枠３を前扉５７と読み替えることにより、実施可能である。
【００４９】
実施の形態３に係るスロットマシンにおいては、制御装置や外部端子板が筐体５６に設けられるので、図２に示す開閉検出器４５に相当する開閉検出器を設ける場合、筐体５６の側に設ける方が、当該開閉検出器を前扉５７の側に設けるよりも配線上の利便性が高い。外部端子板は、スロットマシンで発生する当たりや不正操作等の遊技管理情報をスロットマシンから店の営業を管理するホールコンピューターと呼ばれる店管理装置に送信する部品である。
【００５０】
図１２を参照し、実施の形態４に係る施錠装置６１をカバーで覆う不正防止構造について、遊技機としてパチンコ機を例示し、施錠装置６１としては公知のものを例示して説明する。公知の施錠装置６１の詳細な構造は、例えば、段落０００３に記載の特許文献２に開示されているが、大まかに説明すると、施錠装置６１が遊技機枠１の右側に設けられる。施錠装置６１としては、外枠２の右の縦部材の内部空間の側に上下に分かれて設けられた枠側の被拘束部材６２；６３と、前枠３に設けられた錠前機構６４と、前枠３に上下に分かれて設けられた枠側の拘束部材６５；６６と、前枠３に上下に分かれて設けられた扉側の拘束機構１２；１３と、前扉５に上下に分かれて設けられた扉側の被拘束部材１４；１５とを備える。そして、不正な行為を防止するように、拘束部材６５；６６を図１３に示すカバー６９で覆う構造に特徴がある。
【００５１】
図１２に戻り、実施の形態１に係る施錠装置６１にあっては、外枠２から離れる側に開かれた前枠３が人為操作によりヒンジ４を回転中心として外枠２の側に閉じられるのに伴い、被拘束部材６２；６３と拘束部材６５；６６とが互いに嵌合して前枠３を外枠２に開閉不能に拘束する。このように前枠３が外枠２に開閉不能に拘束された状態において、図外の鍵が人為操作により前方から錠前機構６４におけるシリンダー錠１６の鍵孔１７に挿入され、その挿入された状態から鍵が人為操作により例えば右方向に９０度回転操作されるのに伴い、シリンダー錠１６が錠前機構６４におけるスライド部材６７；６８を上下方向に作動し、スライド部材６７；６８が上記被拘束部材６２；６３と拘束部材６５；６６との嵌合を解除するように被拘束部材６２；６３を作動して前枠３を外枠２に開閉可能に解放する。このように解放された前枠３が人為操作によりヒンジ４を回転中心として外枠２から離れる側に開かれる。尚、施錠装置６１による前枠３と前扉５との拘束及び解放については、段落００１２の記載を参照されたし。
【００５２】
図１３を参照し、実施の形態４に係る外枠２の上側に設けられた被拘束部材６２と前枠３の上側に設けられた拘束部材６５と拘束部材６５を作動するように前枠３に設けられたスライド部材６７とカバー６９との構造について説明する。錠前機構６４の機構基盤４９は、前枠３の後側で右部に位置しかつ前枠３に固定されるように取り付けられる。機構基盤４９には、スライド部材６７が上下方向に移動可能に取り付けられる。機構基盤４９が前枠３に取り付けられた場合には、機構基盤４９に固定的に設けられたシリンダー錠１６が前枠３に設けられた図外の錠前逃げ部を経由して前枠３の前側に配置される。
【００５３】
機構基盤４９には、拘束部材６５が軸７１を回転中心として前枠３を開閉不能に拘束する拘束位置と前枠３を開閉可能に解放する解放位置との間を上下方向に回転し得るように設けられる。拘束部材６５の軸７１よりも前側にはスライド部材６７が連結部材７２で連結される。連結部材７２は、スライド部材６７に縦長に形成された逃げ孔７３に配置されていると共に拘束部材６５に固定される。拘束部材６５の軸７１よりも後側と機構基盤４９とには弦巻ばねのような弾性部材７４が掛け渡される。弾性部材７４は、拘束部材６５を解放位置から拘束位置の側に向けて回転する方向の弾力を拘束部材６５に与える。
【００５４】
実施の形態４では、拘束部材６５が弾性部材７４の弾力で下方に引っ張られ、連結部材７２が逃げ孔７３の上端に接触して拘束位置に停止している。そして、シリンダー錠１６の例えば縦長な鍵孔１７に挿入された図外の鍵が人為操作により例えば右方向に９０度回転操作されるのに伴い、シリンダー錠１６が回転運動を直線運動に変換する図外の運動変換機構を介してスライド部材６７を下方向に作動し、スライド部材６７が連結部材７２を弾性部材７４の弾力に抗して下方に引っ張り、拘束部材６５が拘束位置から解放位置の側に軸７１を回転中心として回転する。拘束部材６５の軸７１よりも後端部には嵌合部７５が下部から上方に窪むと共に下部及び左右に開口した造形に設けられる。拘束部材６５の嵌合部７５よりも後端下部は、後方に行くに従って徐々に上り勾配となるように傾斜する誘導部７６を構成する。
【００５５】
カバー６９は、拘束部材６５を覆うものであり、拘束部材６５の拘束位置と解放位置とへの回転を妨げない機能と拘束部材６５を外部から操作できないようにする機能と前枠３の閉じたときの外枠２に対する位置を決める機能とを備えており、前枠３に設けられてもよいが、実施の形態４では機構基盤４９に設けられて錠前機構６４に一体に構成されている。カバー６９の後壁及び右側壁には、逃げ部７７が拘束位置に停止した拘束部材６５の嵌合部７５よりも上方に位置して設けられる。逃げ部７７は、前枠３が開閉されるとき、カバー６９が被拘束部材６２に衝突しないように、逃げるためのものである。カバー６９の左側壁は、拘束位置に停止した拘束部材６５を全体的に覆う造形である。カバー６９の左側壁の後端下部は、後方に行くに従って徐々に上り勾配となるように傾斜する誘導部７８を構成する。
【００５６】
外枠２の側の被拘束部材６２は、外枠２に固定されて外枠２から左側に突出する。被拘束部材６２の外枠２から左側に突出する部分は、前枠３の全閉時において、拘束部材６５の嵌合部７５が嵌合する被嵌合部７９を構成する。被嵌合部７９の上部は、前枠３が開閉されるとき、拘束部材６５の下部と接触する。被嵌合部７９の下部には、カバー受部８０が左側に突出して設けられる。カバー受部８０は、前枠３が開閉されるとき、拘束部材６５及び逃げ部７７は接触しないようになっている。カバー受部８０の上部は、前枠３が開閉されるとき、カバー６９の左側壁の下部と接触する。このカバー受部８０の上部とカバー６９の左側壁の下部との接触により、外枠２に対する前枠３の上下の位置が正確に決まる。
【００５７】
つまり、カバー６９が拘束部材６５の拘束位置と解放位置とへの回転を妨げずに拘束部材６５を外部から操作できないように拘束部材６５を覆う一方、カバー６９が前枠３の閉じたときの外枠２に対する位置を決めることにより、前枠３が閉じられたときに搭載された機器の重量でヒンジ４を中心として前枠３の右側が左側より下がって右側に傾いてしまうことを防止することと、拘束部材６５を解放位置の側に不正に操作されないように拘束部材６５に対する外部からの不正操作を防止することとを、カバー６９で行なうことができる。よって、実施の形態４に係るカバー６９を備えた施錠装置６１は、拘束部材６５を錠前機構６４によらずに不正に拘束位置から解放位置に移動することを防止するための不正防止構造が、段落０００２に記載した特許文献１及び特許文献２の施錠装置よりも簡単になる。
【００５８】
図１４乃至図１７を参照し、実施の形態４に係る前枠３の開閉に伴う被拘束部材６２と拘束部材６５とスライド部材６７とカバー６９との動作について説明する。図１４は、前枠３が矢印Ｘ１方向に閉じる過程であり、スライド部材６７が上降限度位置に停止し、拘束部材６５が弾性部材７４の弾力により軸７１を回転中心として解放位置から拘束位置の側に回転し、連結部材７２がスライド部材６７における逃げ孔７３の上端の周りに接触して受け止められて、拘束部材６５が拘束位置に停止した状態を示す。
【００５９】
図１５は、スライド部材６７が上降限度位置に停止したまま、前枠３が図１４の状態から矢印Ｘ１方向に更に閉じるのに伴い、被拘束部材６２のカバー受部８０が誘導部７８を経由してカバー６９の左側壁の下部に接触して上方に持ち上げ、被拘束部材６２の被嵌合部７９が誘導部７６に到達した状態を示す。
【００６０】
図１６は、スライド部材６７が上降限度位置に停止したまま、前枠３が図１５の状態から矢印Ｘ１方向に更に閉じて、被拘束部材６２の被嵌合部７９が誘導部７６から拘束部材６５の下部に移行するのに伴い、拘束部材６５が弾性部材７４の弾力に抗して軸７１を回転中心として拘束位置から解放位置の側に回転した後、拘束部材６５の嵌合部７５が被拘束部材６２の被嵌合部７９に出合うことにより、拘束部材６５が弾性部材７４の弾力により軸７１を回転中心として解放位置の側から拘束位置の側に回転し、嵌合部７５が被嵌合部７９に嵌合した状態を示す。この嵌合部７５と被嵌合部７９との嵌合により、閉じられた前枠３が被拘束部材６２と拘束部材６５との協同により外枠２に開閉不能に拘束されて全閉位置に停止した状態になる。尚、上記拘束部材６５の拘束位置から解放位置の側への回転時及び解放位置の側から拘束位置の側への回転時には、連結部材７２が逃げ孔７３を上下に移動するので、スライド部材６７は上降限度位置に停止したままである。
【００６１】
図１７は、閉じられた前枠３が外枠２に開閉不能に拘束された状態において、前枠３を外枠２から前側に離れるように開くために、図外の鍵が人為操作により前方から図１３に示すシリンダー錠１６の鍵孔１７に挿入され、その挿入された状態から鍵が人為操作により例えば右方向に９０度回転操作されるのに伴い、スライド部材６７が図１６に示す上降限度位置から矢印Ｙ２方向に作動して連結部材７２を引き下げたことにより、拘束部材６５が弾性部材７４の弾力に抗して軸７１を回転中心として拘束位置から解放位置の側に回転して停止し、嵌合部７５と被嵌合部７９との嵌合が解除された状態を示す。この解除された状態において、上記鍵の人為操作による例えば右方向への９０度の回転操作が維持されたまま、人為操作により前枠３を矢印Ｘ２方向に引っ張ると、前枠３が外枠２から前側に離れるように開いた後、図外の鍵を例えば右方向に９０度回転操作された位置から図１に示す鍵孔１７に挿入された状態へと人為操作により戻すと、スライド部材６７が図１４に示すように上降限度位置に戻って停止する。
【００６２】
図１８を参照し、実施の形態５に係る施錠装置６１を収容部８２で覆う不正防止構造について、遊技機としてパチンコ機を例示し、施錠装置６１としては公知のものを例示して説明する。公知の施錠装置６１の詳細な構造は、例えば、段落０００３に記載の特許文献２に開示されているが、拘束部材６５を収容部８２で覆う構造に特徴がある。収容部８２は、外枠２の被拘束部材６２を設けた部分に設けられ、拘束部材６５を前枠３の開閉動作で出し入れ可能としかつ入った拘束部材６５の拘束位置と解放位置とへの回転を妨げないと共に拘束部材６５を外部から操作できないように覆う造形である。実施の形態５では、収容部８２が縦部材８１の前面から後側に行き止まりの窪みとして設けられる。収容部８２は、前枠３が開閉されるとき、拘束部材６５を縦部材８１の前面から内部に進入させて覆うと共に拘束部材６５の軸７１を回転中心として拘束位置と解放位置とへの移動を妨げない造形である。収容部８２の奥である後部には、被拘束部材６２が左右方向に掛け渡される。例えば、被拘束部材６２の一端部が縦部材８１の左側から収容部８２を貫通して縦部材８１の左側に到達した構造である。収容部８２は右の縦部材８１と天板との双方又は右の縦部材８１と底板とにわたって形成されてもよい。
【００６３】
よって、前枠３が矢印Ｘ１方向に閉じるのに伴い、拘束部材６５が収容部８２に進入して収容部８２に存在する被拘束部材６２に接触して弾性部材７４の弾力に抗して軸７１を回転中心として拘束位置から解放位置の側に回転した後、拘束部材６５の嵌合部７５が被拘束部材６２の被嵌合部７９に出合うことにより、拘束部材６５が弾性部材７４の弾力により軸７１を回転中心として解放位置の側から拘束位置の側に回転し、嵌合部７５が被嵌合部７９に嵌合した状態を示す。この嵌合部７５と被嵌合部７９との嵌合により、閉じられた前枠３が被拘束部材６２と拘束部材６５との協同により外枠２に開閉不能に拘束されて全閉位置に停止した状態になる。よって、実施の形態５に係る収容部８２を備えた施錠装置６１は、拘束部材６５を錠前機構６４によらずに不正に拘束位置から解放位置に移動することを防止するための不正防止構造が、段落０００２に記載した特許文献１及び特許文献２の施錠装置よりも簡単になる。
【００６４】
図１３乃至図１８の被拘束部材６２と拘束部材６５とスライド部材６７とのそれぞれを図１２の被拘束部材６３と拘束部材６６とスライド部材６８と読み替えることにより、図１３乃至図１８に示す構造を下側の被拘束部材６３と拘束部材６６とスライド部材６８とにも適用できる。又、図１３及び図１８の嵌合部７５に相当する嵌合部を拘束部材６５の上部から下方に窪みかつ下方及び左右方向に開口する形状に造形し、この嵌合部を被拘束部材６２の被嵌合部７９に下方から嵌合するようしてもよい。その場合、スライド部材６７が上方に移動することにより、拘束部材６５が弾性部材７４の弾力に抗して軸７１を回転中心として拘束位置から解放位置の側に回転するようになる。又、実施の形態１乃至実施の形態５では、拘束機構７；８を天板又は右の縦部材に取り付けてもよい。
【００６５】
図１９を参照し、実施の形態６の施錠装置６の構造について、外枠２の上側に設けられた拘束機構７と前枠３の上側に設けられた被拘束部材１０とを例示して説明する。実施の形態６は、被拘束部材１０の前枠３から後側に突出する寸法が大きく形成され、前枠３が閉じられて、拘束機構７の嵌合部３９と被拘束部材１０の被嵌合部４１とが互いに嵌合した場合に、被拘束部材１０が拘束機構７の軸３５の位置における拘束部材３２に重なり合うようになっている。この構造により、前枠３が閉じられ、拘束機構７の嵌合部３９と被拘束部材１０の被嵌合部４１とが互いに嵌合した状態において、前枠３が開く方向に強引に引っ張られても、被拘束部材１０により拘束部材３２が軸３５を回転中心として上方に回転されることがなく、上記嵌合部３９と被嵌合部４１との相互の嵌合が維持されるので、前枠３が不正に開かれることは防止できる。
【００６６】
図２０を参照し、実施の形態７の施錠装置６の構造について、外枠２の上側に設けられた拘束機構７と前枠３の上側に設けられた被拘束部材１０とを例示して説明する。実施の形態７は、軸３５が前方に向き、受部３８が後方に向くにように、拘束機構７の取り付ける向きを逆向きとし、前枠３が閉じられて、拘束機構７の嵌合部３９と被拘束部材１０の被嵌合部４１とが互いに嵌合した場合に、被拘束部材１０が拘束機構７の軸３５の位置における拘束部材３２に重なり合うようになっている。この構造により、前枠３が閉じられ、拘束機構７の嵌合部３９と被拘束部材１０の被嵌合部４１とが互いに嵌合した状態において、前枠３が開く方向に強引に引っ張られても、被拘束部材１０により拘束部材３２が軸３５を回転中心として上方に回転されることがなく、上記嵌合部３９と被嵌合部４１との相互の嵌合が維持されるので、前枠３が不正に開かれることは防止できる。
【００６７】
図１９又は図２０の拘束機構７と被拘束部材１０とを図１又は図１０の拘束機構８と被拘束部材１１と読み替えることにより、図１９又は図２０に示す構造を下側の拘束機構８と被拘束部材１１とにも適用できる。このように図１９又は図２０に示す構造を拘束機構８と被拘束部材１１とに適用して、拘束部材３２が被拘束部材１０の上に重なるように拘束機構８と被拘束部材１１とを配置すれば、前枠３の右下がりを防止できる。
【００６８】
図２１を参照し、実施の形態８の施錠装置６について、第１開閉検出器８５と第２開閉検出器８６を利用して前枠３の開閉を管理する場合を例として説明する。
【００６９】
第１開閉検出器８５は、拘束機構７の嵌合部３９が被拘束部材１０の被嵌合部４１に嵌合する方向に拘束部材３２が作動するに伴いオン信号を制御装置８７に出力する一方、拘束機構７の嵌合部３９と被拘束部材１０の被嵌合部４１との嵌合が解除する方向に拘束部材３２が作動するに伴いオフ信号を制御装置８７に出力するようになっている。
【００７０】
第２開閉検出器８６は、拘束機構８の嵌合部３９が被拘束部材１１の被嵌合部４１に嵌合する方向に拘束部材３２が作動するに伴いオン信号を制御装置８７に出力する一方、拘束機構８の嵌合部３９と被拘束部材１１の被嵌合部４１との嵌合が解除する方向に拘束部材３２が作動するに伴いオフ信号を制御装置８７に出力するようになっている。
【００７１】
上記のことから、第１開閉検出器８５と第２開閉検出器８６とのオフ信号が制御装置８７に予め設定された所定時間よりも時間的にずれて入力された場合、前枠３の閉じられる作動が異常であると制御装置８７が判断して警報信号を警報器８８に出力し、警報器８８が警報を発する（図２２の項番１の行を参照）。上記第１開閉検出器８５と第２開閉検出器８６とのオフ信号が制御装置８７に予め設定された所定時間よりも時間的にずれて入力された場合は、第１開閉検出器８５と第２開閉検出器８６とのオフ信号が制御装置８７に予め設定された所定時間経過後に入力された場合と同義語である。上記予め設定された所定時間は、制御装置８７が前枠３の閉じられる作動を正常であるか異常であるかと判断するために経験則から決めた時間である。
【００７２】
又、第１開閉検出器８５と第２開閉検出器８６とのオフ信号が制御装置８７に予め設定された所定時間よりも時間的にずれないで入力された場合、前枠３の閉じられる作動が正常であると制御装置８７が判断して警報信号を警報器８８に出力せず、警報器８８が警報を発しない（図２２の項番２の行を参照）。上記第１開閉検出器８５と第２開閉検出器８６とのオフ信号が制御装置８７に予め設定された所定時間よりも時間的にずれないで入力された場合は、第１開閉検出器８５と第２開閉検出器８６とのオフ信号が制御装置８７に予め設定された所定時間内に入力された場合と同義語である。
【００７３】
段落００６６乃至段落００７０における拘束機構７；８と被拘束部材１０；１１とを、図１又は図１０の拘束機構１２；１３と被拘束部材１４；１５と読み替えることにより、段落００６６乃至段落００７０における第１開閉検出器８５と第２開閉検出器８６とを利用して図１又は図１０の前扉５の開閉を管理することにも適用できる。
【符号の説明】
【００７４】
１は遊技機枠、２は外枠、３は前枠、４はヒンジ、５は前扉、６は施錠装置、７；８は拘束機構、９は錠前機構、１０；１１は被拘束部材、１２；１３は拘束機構、１４；１５は被拘束部材、１６はシリンダー錠、１７は鍵孔、１８；１９はスライド部材、２０は球発射機構、２１は窓、２２はガラス装置、２３は球受皿、２４は発射操作機構、２５は鍵孔逃げ部、２６は遊技盤、２７はガイドレール、２８は遊技領域、２９；３０は欠番、３１は機構基盤、３２は拘束部材、３３は弾性部材、３４は支持部、３５は軸、３６は支持部、３７は規制部、３８は受部、３９は嵌合部、４０は欠番、４１は被嵌合部、４２は誘導部、４３はスイッチ取付部、４４は作動逃げ部、４５は開閉検出器、４６はスイッチ作動片、４７は端子部、４８は欠番、４９は機構基盤、５０はガイド部、５１は被ガイド部、５２は部分、５３は空間、５４は筋交い、５５は欠番、５６は筐体、５７は前扉、５８はヒンジ、５９は図柄可視領域部、６０は欠番、６１は施錠装置、６２；６３は被拘束部材、６４は錠前機構、６５；６６は拘束部材、６７；６８はスライド部材、６９はカバー、７０は欠番、７１は軸、７２は連結部材、７３は逃げ孔、７４は弾性部材、７５は嵌合部、７６は誘導部、７７は逃げ部、７８は誘導部、７９は被嵌合部、８０はカバー受部、８１は縦部材、８２は収容部、８３；８４は欠番、８５は第１開閉検出器、８６は第２開閉検出器、８７は制御装置、８８は警報器。
【図１】
2013188471.tif 000003
【図２】
2013188471.tif 000004
【図３】
2013188471.tif 000005
【図４】
2013188471.tif 000006
【図５】
2013188471.tif 000007
【図６】
2013188471.tif 000008
【図７】
2013188471.tif 000009
【図８】
2013188471.tif 000010
【図９】
2013188471.tif 000011
【図１０】
2013188471.tif 000012
【図１１】
2013188471.tif 000013
【図１２】
2013188471.tif 000014
【図１３】
2013188471.tif 000015
【図１４】
2013188471.tif 000016
【図１５】
2013188471.tif 000017
【図１６】
2013188471.tif 000018
【図１７】
2013188471.tif 000019
【図１８】
2013188471.tif 000020
【図１９】
2013188471.tif 000021
【図２０】
2013188471.tif 000022
【図２１】
2013188471.tif 000023
【図２２】
2013188471.tif 000024